(57)【要約】【課題】使用する実行機能に適した無線通信環境を使用してカラオケ装置に送信情報を送信する。【解決手段】サーバ装置と、情報処理装置から送信された送信情報を受信するカラオケ装置を有するカラオケシステムであって、情報処理装置は、カラオケ装置に対する実行機能の選択を受付ける受付処理と、受付処理で受付けた実行機能に対応する第１無線通信環境、もしくは、第２無線通信環境を判断する判断処理と、受付処理で受付けた実行機能における送信情報をカラオケ装置に送信する際、判断処理で第１無線通信環境を使用すると判断した場合、サーバ装置を経由してカラオケ装置に送信情報を送信し、判断処理で第２無線通信環境を使用すると判断した場合、アクセスポイントを介してカラオケ装置に送信情報を送信する送信処理と、を実行可能とする。【選択図】図１
2016033550.tif 000002
【特許請求の範囲】
【請求項１】
サーバ装置と、情報処理装置から送信された送信情報を受信するカラオケ装置を有するカラオケシステムであって、
情報処理装置は、
サーバ装置と無線通信網を介して無線通信可能な第１無線通信環境と、アクセスポイントとネットワーク接続されたカラオケ装置とアクセスポイントを介して無線通信可能な第２無線通信環境を使用可能であって、
カラオケ装置に対する実行機能の選択を受付ける受付処理と、
受付処理で受付けた実行機能に対応する第１無線通信環境、もしくは、第２無線通信環境を判断する判断処理と、
前記受付処理で受付けた実行機能における送信情報をカラオケ装置に送信する際、前記判断処理で第１無線通信環境を使用すると判断した場合、サーバ装置を経由してカラオケ装置に送信情報を送信し、前記判断処理で第２無線通信環境を使用すると判断した場合、アクセスポイントを介してカラオケ装置に送信情報を送信する送信処理と、を実行可能とし、
カラオケ装置は、
サーバ装置を経由して受信した送信情報、もしくは、アクセスポイントを介して受信した送信情報に基づいて処理を実行する
カラオケシステム。
【請求項２】
カラオケ装置は、
受信した送信情報に対する返信情報を形成し、返信情報に対応する第１無線通信環境、もしくは、第２無線通信環境を使用して、情報処理装置に返信情報を返信する返信処理を実行可能とする
請求項１に記載のカラオケシステム。
【請求項３】
サーバ装置と無線通信網を介して無線通信可能な第１無線通信環境と、アクセスポイントとネットワーク接続されたカラオケ装置とアクセスポイントを介して無線通信可能な第２無線通信環境を使用可能な情報処理装置において、
カラオケ装置に対する実行機能の選択を受け付ける受付ステップと、
前記受付ステップで受け付けた実行機能に対応する第１無線通信環境、もしくは、第２無線通信環境を判断する判断ステップと、
前記受付ステップで受け付けた実行機能における送信情報をカラオケ装置に送信する際、前記判断ステップで第１無線通信環境を使用すると判断した場合、サーバ装置を経由してカラオケ装置に送信情報を送信し、前記判断ステップで第２無線通信環境を使用すると判断した場合、アクセスポイントを介してカラオケ装置に送信情報を送信する送信ステップと、を実行させる
プログラム。
【請求項４】
送信ステップは、前記受付ステップで受け付けた実行機能における送信情報をカラオケ装置に送信する際、カラオケ装置に送信する送信情報のデータ量を判定し、判定したデータ量に応じて使用する無線通信環境を変更する
請求項３に記載のプログラム。
【請求項５】
送信ステップは、第１無線通信環境の通信状況、もしくは、第２無線通信環境の通信状況の少なくとも一方の監視結果に応じて使用する無線通信環境を変更する
請求項３または請求項４に記載のプログラム。
【請求項６】
送信ステップは、使用する第１無線通信環境の通信状況、もしくは、第２無線通信環境の通信状況に応じて、カラオケ装置に送信する送信情報の情報量を変更する
請求項３から請求項５の何れか１項に記載のプログラム。
【発明の詳細な説明】
【技術分野】
【０００１】
本発明は、歌唱を楽しむためのカラオケ装置、及び、カラオケ装置とネットワークで接続されたサーバ装置を含むカラオケシステム、及び、携帯型情報処理装置にて実行可能なプログラムに関する。
【背景技術】
【０００２】
伴奏に合わせて歌唱を楽しむカラオケは、カラオケボックスやスナック等のナイト店において広く楽しまれている。従来、カラオケを行うためのカラオケ装置は、専用のリモコン装置を操作することで、楽曲の予約等、各種操作を行うことが可能であった。近年、スマートフォン等、個人が所有する携帯端末の高機能化に伴い、携帯端末をカラオケ装置のリモコンとして使用することが行われている。
【０００３】
特許文献１には、個人が所有する携帯端末を、携帯通信網を介して通信接続させることで、使用対象となるカラオケ装置のリモコンとして機能させることが開示されている。また、特許文献２には、カラオケ店舗内の無線ネットワークに、携帯端末を通信接続させることで、使用対象となるカラオケ装置のリモコンとして機能させることが開示されている。
【先行技術文献】
【特許文献】
【０００４】
【特許文献１】特開２０１４−７１７８２号公報
【特許文献２】特開２０１４−７７９２８号公報
【発明の概要】
【発明が解決しようとする課題】
【０００５】
特許文献１、２に開示されるように、各種通信網を利用することで、携帯端末をカラオケ装置のリモコンとして使用する楽曲予約サービスが提供されている。ところで、このような楽曲予約サービス以外に、ユーザが所持する携帯端末から画像情報等、比較的容量の大きい情報をカラオケ装置に送信するサービスが考えられる。このようなサービスでは、携帯端末に記憶するユーザの画像情報を、カラオケ装置の大画面に映し出し、カラオケに集った仲間と共有することが可能である。
【０００６】
このようなサービスを行う場合、特許文献１に開示されるように携帯通信網を介して通信接続すること、あるいは、特許文献２に開示されるようにカラオケ店舗内の無線ネットワークに通信接続させることが考えられる。しかしながら、特許文献１に開示されるように携帯通信網を使用した場合、十分な転送速度が得られず、画像情報の送信に時間がかかってしまうことが考えられる。一方、特許文献２に開示されるよう、携帯端末をカラオケ店舗内の無線ネットワークに通信接続させた場合、多数の携帯端末がアクセスしたことを原因として、本来の通信速度を得ることができないことが考えられる。
【０００７】
本発明は、このように複数のサービス（実行機能）を使用する場合、選択された実行機能に応じて無線通信環境を切り替えることで、選択された実行機能に適切であり、また、無線通信環境に対する負荷を抑制し、良好な通信環境を提供することを目的とする。
【課題を解決するための手段】
【０００８】
本発明に係るカラオケシステムは、
サーバ装置と、情報処理装置から送信された送信情報を受信するカラオケ装置を有するカラオケシステムであって、
情報処理装置は、
サーバ装置と無線通信網を介して無線通信可能な第１無線通信環境と、アクセスポイントとネットワーク接続されたカラオケ装置とアクセスポイントを介して無線通信可能な第２無線通信環境を使用可能であって、
カラオケ装置に対する実行機能の選択を受付ける受付処理と、
受付処理で受付けた実行機能に対応する第１無線通信環境、もしくは、第２無線通信環境を判断する判断処理と、
前記受付処理で受付けた実行機能における送信情報をカラオケ装置に送信する際、前記判断処理で第１無線通信環境を使用すると判断した場合、サーバ装置を経由してカラオケ装置に送信情報を送信し、前記判断処理で第２無線通信環境を使用すると判断した場合、アクセスポイントを介してカラオケ装置に送信情報を送信する送信処理と、を実行可能とし、
カラオケ装置は、
サーバ装置を経由して受信した送信情報、もしくは、アクセスポイントを介して受信した送信情報に基づいて処理を実行する。
【０００９】
さらに本発明に係るカラオケシステムにおいて、
カラオケ装置は、
受信した送信情報に対する返信情報を形成し、返信情報に対応する第１無線通信環境、もしくは、第２無線通信環境を使用して、情報処理装置に返信情報を返信する返信処理を実行可能とする。
【００１０】
また本発明に係るプログラムは、
サーバ装置と無線通信網を介して無線通信可能な第１無線通信環境と、アクセスポイントとネットワーク接続されたカラオケ装置とアクセスポイントを介して無線通信可能な第２無線通信環境を使用可能な情報処理装置において、
カラオケ装置に対する実行機能の選択を受け付ける受付ステップと、
前記受付ステップで受け付けた実行機能に対応する第１無線通信環境、もしくは、第２無線通信環境を判断する判断ステップと、
前記受付ステップで受け付けた実行機能における送信情報をカラオケ装置に送信する際、前記判断ステップで第１無線通信環境を使用すると判断した場合、サーバ装置を経由してカラオケ装置に送信情報を送信し、前記判断ステップで第２無線通信環境を使用すると判断した場合、アクセスポイントを介してカラオケ装置に送信情報を送信する送信ステップと、を実行させる。
【００１１】
さらに本発明に係るプログラムにおいて、
送信ステップは、前記受付ステップで受け付けた実行機能における送信情報をカラオケ装置に送信する際、カラオケ装置に送信する送信情報のデータ量を判定し、判定したデータ量に応じて使用する無線通信環境を変更する。
【００１２】
さらに本発明に係るプログラムにおいて、
送信ステップは、第１無線通信環境の通信状況、もしくは、第２無線通信環境の通信状況の少なくとも一方の監視結果に応じて使用する無線通信環境を変更する。
【００１３】
さらに本発明に係るプログラムにおいて、
送信ステップは、使用する第１無線通信環境の通信状況、もしくは、第２無線通信環境の通信状況に応じて、カラオケ装置に送信する送信情報の情報量を変更する。
【発明の効果】
【００１４】
本発明に係るカラオケシステム、並びに、プログラムによれば、選択された実行機能に対応して、第１無線通信環境、もしくは、第２無線通信環境を選択することで、実行機能に適した無線通信環境を使用して送信情報を、使用対象となるカラオケ装置に送信することが可能となる。また、第２無線通信環境で使用されるアクセスポイントへの過度のアクセス集中を抑制することも可能となる。
【図面の簡単な説明】
【００１５】
【図１】システムの全体構成を示す図
【図２】カラオケシステムの構成を示す図
【図３】携帯端末の構成を示す図
【図４】対応付け処理を示すフロー図
【図５】通信管理テーブルを示す図
【図６】カラオケ用プログラムのメニュー画面を示す図
【図７】カラオケ用プログラムの楽曲確認画面を示す図
【図８】カラオケ用プログラムのフォト選択画面を示す図
【図９】カラオケ用プログラムの楽器演奏画面を示す図
【図１０】携帯端末で実行される通信管理処理を示すフロー図
【図１１】携帯端末で実行される第１通信処理を示すフロー図
【図１２】携帯端末で実行される第２通信処理を示すフロー図
【図１３】送信情報の送信経路を説明するための図（楽曲予約時）
【図１４】送信情報の送信経路を説明するための図（動画送信時）
【発明を実施するための形態】
【００１６】
図１は、本実施形態に係るシステムの全体構成を示す図である。本実施形態では、カラオケボックス等のように、カラオケ装置２が複数設置されたカラオケ店舗を想定している。本発明は、このようなカラオケ店舗以外に、スナック等のように１台のカラオケ装置２が設置されたカラオケ店舗に適用することも可能である。複数のカラオケ装置２は、ＬＡＮ１００を介して相互に接続され、ローカルエリアネットワークを構成している。ローカルエリアネットワークには、ルータ１２０が設置され、ローカルエリアネットワークとインターネット網を通信接続している。
【００１７】
インターネット網には、通信回線を介してカラオケ装置２を管理するサーバ装置５が設置されている。サーバ装置５は、カラオケ装置２を管理するための各種データベース、そして、カラオケ装置２に提供するための楽曲情報等を記憶部５１に記憶している。更に、サーバ装置５は、各種情報を記憶する記憶部５１と、制御手段（図示せず）に相当するＣＰＵ、ＲＯＭ、ＲＡＭ、及び、カラオケ装置２との通信部を備えている。カラオケ装置２は、ローカルエリアネットワークからルータ１２０を介してインターネット網にアクセスし、サーバ装置５と通信することが可能である。
【００１８】
本実施形態では、ユーザの所持する携帯端末６を、カラオケ装置２と連動させた各種サービスを実施可能としている。このようなサービスは、携帯端末６にプログラム（アプリとも呼ばれる）をインストールし、当該プログラムを起動することで行うことが可能である。サービスの一つとして、ユーザの所持する携帯端末６を、使用対象となるカラオケ装置２のリモコンとして使用する楽曲予約機能がある。携帯端末６のユーザーインターフェイスを使用して、使用対象となるカラオケ装置２に歌唱する楽曲を予約することが可能である。
【００１９】
また、サービスの一つとして、携帯端末６に記憶している静止画（写真）を、カラオケの場に集う仲間で共有するフォト送信機能がある。携帯端末６に記憶している写真を、使用対象となるカラオケ装置２に転送し、カラオケ装置２に接続された大型のモニタ４１に映し出すことで写真を仲間に紹介することが可能である。このような携帯端末６を使用したサービスは、携帯端末６と使用対象となるカラオケ装置２とを通信接続する必要がある。図１の例において、部屋Ａを利用するユーザが所持する携帯端末６と、部屋Ａに設置されたカラオケ装置２とを通信接続する必要がある。
【００２０】
携帯端末６は、携帯電話網からインターネット網にアクセスすることで、動画情報等、各種情報の送受信を可能とする第１無線通信環境（例えば、ＬＴＥ、３Ｇ回線など）を利用することが可能である。携帯基地局１４０に無線接続した携帯端末６は、携帯電話網を介してゲートウェイ１３０に接続し、インターネット網上の各種サーバ装置等と通信を行うことが可能である。また、携帯端末６は、第１無線通信環境に加え、Ｗｉ−Ｆｉによる無線ＬＡＮの第２無線通信環境を使用することが可能なものもある。図１に示すカラオケ店舗の場合、携帯端末６は、アクセスポイント１１０を介して、カラオケ店舗内のＬＡＮ１００と通信接続し、ＬＡＮ１００上に設置されたカラオケ装置２等と通信を行うことが可能である。
【００２１】
本実施形態では、プログラムの実行機能の選択に応じて、携帯端末６で使用する無線通信環境を、第１無線通信環境（例えば、ＬＴＥ、３Ｇ回線など）、あるいは、第２無線通信環境（例えば、Ｗｉ−Ｆｉなど）に切り替えることで、選択された実行機能に応じた無線通信環境を使用して、携帯端末６から使用対象となるカラオケ装置２に各種送信情報を送信することを可能としている。本実施形態の第１無線通信環境は、携帯基地局１４０、ゲートウェイ１３０、サーバ装置５、ルータ１２０を経て、使用対象となるカラオケ装置２に送信情報を送信する。一方、本実施形態の第２無線通信環境は、アクセスポイント１１０、ＬＡＮ１００を経て、使用対象となるカラオケ装置２に送信情報を送信する。
【００２２】
図２は、本発明の実施形態に係るカラオケシステムの構成を示す図である。図１で説明した各カラオケ装置２は、この図２に示すような構成で店舗の各部屋に配置される。カラオケシステムには、カラオケ装置２の他、カラオケ装置２を遠隔制御するためのリモコン装置１が設けられている。カラオケ装置２とリモコン装置１は、ＬＡＮ１００及びアクセスポイント１１０を利用してネットワークを形成するように接続されている。
【００２３】
カラオケ装置２は、楽曲を演奏するための演奏手段として音響制御部２５を備えている。また、カラオケ装置２は、ユーザからの各種入力を受け付けるスイッチなどで構成されるカラオケ装置２側の入力手段としての操作部２１を備える。カラオケ装置２は、操作部２１からの入力を解釈して制御部３０に伝達する操作処理部２２を備える。また、カラオケ装置２は、各種情報を記憶するカラオケ装置側記憶手段としてのＨＤＤ３２（ハードディスク）を備える。カラオケ装置２は、ＬＡＮ１００に接続してネットワークに加入するための通信手段としてのＬＡＮ通信部２４を備えている。
【００２４】
また、カラオケ装置２は、モニタ４１に対して歌詞映像、背景映像を表示させる映像再生手段を備える。この映像再生手段は、映像情報に基づいて映像を再生する映像再生部２９、再生する映像を一時的に蓄積するビデオＲＡＭ２８、再生された映像に対する歌詞テロップの重畳、映像効果の付与等、各種映像処理を実行可能な映像制御部３１を備えて構成される。
【００２５】
さらに、このカラオケ装置２では、外部に接続されたモニタ４１以外に、タッチパネルモニタ３３に対して各種情報を表示することを可能としている。タッチパネルモニタ３３は、映像制御部３１から入力された映像情報を表示する表示部３５と、タッチ入力された位置を操作処理部２２に出力するタッチパネル３４が重畳されて構成されている。また、カラオケ装置２に対する各種操作は、カラオケ装置２のフロントパネル等に設けられた操作部２１を介して行うことも可能となっている。
【００２６】
本実施形態のタッチパネルモニタ３３は、リモコン装置１の操作手段であるタッチパネルモニタ１１と同様の操作手段として機能することも可能としている。ユーザはタッチパネルモニタ３３から楽曲を選択して、直接カラオケ装置２に予約をさせるなど、リモコン装置１と同等の操作手段機能を利用することが可能である。
【００２７】
さらに、カラオケ装置２は、各構成を統括して制御するための制御手段として、ＣＰＵにて構成される制御部３０、各種プログラムを実行するにあたって必要となる情報を一時記憶するためのメモリ２７を備えて構成される。
【００２８】
このような構成にてカラオケ装置２は、各種処理を実行することとなるが、カラオケ装置２の主な機能として、楽曲指定処理、楽曲再生処理などを実行可能としている。楽曲指定処理は、ユーザからの指定に基づいて楽曲を指定、予約するための処理であってリモコン装置１と連携して実行される。リモコン装置１から送信された予約情報をメモリ２７に記憶する予約テーブルに登録する。楽曲再生処理は、予約された楽曲を再生させる処理であって、演奏処理と歌詞再生処理とが同期して実行される処理である。
【００２９】
演奏処理は、楽曲データに含まれる演奏データを音響制御部２５にて演奏させる処理である。音響制御部２５にて演奏された楽曲は、歌唱用マイク４３ａ、４３ｂから入力される歌唱音声と一緒にスピーカ４２から放音される。歌詞再生処理は、楽曲データに含まれる歌詞データをモニタ４１に表示させることで歌唱補助を行う処理である。この歌詞再生処理で表示される歌詞に、背景映像を重畳させて表示させる背景映像表示処理を実行することとしてもよい。
【００３０】
一方、リモコン装置１は、予約情報などカラオケ装置２に対して各種指示を送信するとともに、カラオケ装置２あるいはインターネット上に接続されたサーバ装置５から各種情報を受信する。本実施形態では、ユーザーインターフェイスとしてボタンなどの操作部１７と、タッチパネルモニタ１１を備えている。タッチパネルモニタ１１は、表示部１１ａとタッチパネル１１ｂを有して構成され、表示部１１ａに各種インターフェイスを表示するとともに、ユーザからのタッチ入力を受付可能としている。
【００３１】
さらにリモコン装置１は、楽曲検索に必要とされるデータベース、各種プログラム、並びに、プログラム実行に伴って発生する各種情報を記憶するリモコン側記憶手段としてメモリ１４、そして、これら構成を統括して制御するためのリモコン側制御手段を備えて構成される。リモコン側制御手段には、ＣＰＵにて構成される制御部１５、表示部１１ａに対して表示する映像を形成する映像制御部１３、表示する映像情報を一時的に蓄えるビデオＲＡＭ１２、操作部１７からの入力を解釈して制御部１５に伝達する操作処理部１８が含まれている。
【００３２】
また、リモコン装置１は、無線ＬＡＮ通信部１６によって、アクセスポイント１１０と無線接続されることで、ＬＡＮ１００によって構成されるネットワークに接続される。なお、各リモコン装置１は、特定のカラオケ装置２に対して事前に対応付けされている。リモコン装置１から出力される各種命令は、対応付けされたカラオケ装置２にて受信されることとなる。
【００３３】
このようなリモコン装置１の構成により、ユーザからの各種入力をタッチパネルモニタ１１、あるいは、操作部１７から受付けるとともに、映像情報をタッチパネルモニタ１１の表示により各種情報を提供することで、カラオケ装置２に対して楽曲予約などの各種指示を行うことが可能とされている。
【００３４】
図３は、本発明の実施形態に係る携帯端末６の構成を示す図である。この携帯端末６としては、スマートフォン、タブレット端末、携帯電話などを採用することが可能である。この携帯端末６に、本発明に係るプログラム（携帯端末用プログラム）をインストールすることで、携帯端末６と使用対象となるカラオケ装置２間における各種情報の送受信を行うことが可能となる。
【００３５】
本実施形態の携帯端末６は、ＣＰＵ６１、ＲＡＭ６２、記憶部６３、画像処理部６４、音響処理部６６を含んで構成された制御手段を有している。記憶部６３には、ハードディスク、ＳＳＤ等の不揮発性の記憶手段を採用することが可能である。この記憶部６３には、本実施形態のプログラム、そして、プログラムで使用する各種データが記憶される。
【００３６】
ＣＰＵ６１は、携帯端末６全体を統括して制御する手段であり、記憶部６３に記憶されたプログラム、データに基づいて各種制御を実行する。ＲＡＭ６２には、ＣＰＵ６１の制御によって生成されたデータを一時的に格納する。
【００３７】
音響処理部６６は、携帯端末６の音響関係の入出力を行う手段である。ＣＰＵ６１の制御によりスピーカ６７ａに放音させる手段である。また、音響処理部６６は、マイクロホン６７ｂと接続され、マイクロホン６７ｂから歌唱音声など、周囲の音声を取り込み可能としている。
【００３８】
タッチパネル表示部６８は、画像を表示する表示部６８ｂとその表面あるいは裏面に配設されるタッチパネル６８ａを有して構成されている。タッチパネル６８ａには、静電容量方式などユーザのタッチ位置を認識可能とする各種タイプを採用することが可能である。ＣＰＵ６１は、表示部６８ｂに表示を行うとともに、タッチパネル６８ａからのタッチ入力にて、表示させている画像中のどの部分にタッチ入力されたかを判定することが可能である。
【００３９】
画像処理部６４は、携帯端末６の画像関係の入出力を行う手段である。画像処理部６４は、ＣＰＵ６１で形成された画像を表示部６８ｂに表示出力する。そして、携帯端末６の前面（タッチパネル表示部６８側）に配置されたフロントカメラ６５Ｆ、もしくは、携帯端末６の背面に配置されたリアカメラ６５Ｒから画像、又は、映像であれば動画を取り込み、静止画像、又は、動画情報として、記憶部６３、又は外部メモリＥＸに記憶する機能を有する。
【００４０】
第１通信部６９ａは、携帯基地局１４０に無線接続することで、携帯電話網の通信回線でインターネット網を介した各通信を行うことが可能である。第２通信部６９ｂは、アクセスポイントと無線接続することで、Ｗｉ−ｆｉによる通信を行うことが可能である。携帯端末６はインターネット上のサーバ装置からプログラムを含む各種プログラム（「アプリ」とも呼ばれる）をダウンロードすることが可能である。なお、プログラムは、通信回線を利用した形態以外に、外部メモリ接続端子７０に接続された外部メモリＥＸからインストールすることとしてもよい。また、携帯端末６は、赤外線通信部、Ｂｌｕｅｔｏｏｔｈ（登録商標）などの近距離通信手段等をさらに設けることとしてもよい。
【００４１】
本実施形態の携帯端末６は、入力手段としてタッチパネル６８ａ以外に入力スイッチ６０を備えて構成されている。この入力スイッチ６０には、電源スイッチ、音量調整スイッチ、プログラムに応じて入力用途が変更されるスイッチなど、各種スイッチを設けることが可能である。
【００４２】
このような携帯端末６では、携帯端末用プログラムをインストールすることで、使用対象となるカラオケ装置２と連携した各種サービスを実行することが可能である。まず、携帯端末６と、使用対象となるカラオケ装置２（図１の場合、携帯端末６を所持するユーザが入室した部屋Ａに設置されるカラオケ装置２）とを対応付ける対応付け処理について説明する。対応付け処理には、各種方法があるが、本実施形態では、カラオケシステムと携帯端末６の両方でログインしたことに基づいて、携帯端末６を所持するユーザが使用対象とするカラオケ装置２を判別することとしている。
【００４３】
図４は、ユーザが所持する携帯端末６と、当該ユーザが使用対象とするカラオケ装置２とを対応付ける対応付け処理を示すフロー図である。カラオケシステムを使用するユーザは、リモコン装置１等を使用して、ユーザＩＤ情報、パスワード等で構成された認証情報を入力する（Ｓ１０１）。カラオケ装置２は、自己のカラオケ装置ＩＤと、入力されたユーザＩＤとパスワードをサーバ装置５に送信する。これら情報を受信したサーバ装置５は、ユーザＩＤとパスワードの対応関係が適正であるか否かを判定する認証処理（Ｓ１１１）を実行する。適正である場合には、受信したカラオケ装置ＩＤとユーザＩＤとを対応付けテーブルに登録する（Ｓ１１２）。この対応付けテーブルを参照することで、現在、ユーザがどのカラオケ装置２を使用しているかを判定することが可能である。
【００４４】
サーバ装置５は、認証処理（Ｓ１１１）で認証されたユーザのユーザ情報をカラオケ装置２に送信する（Ｓ１１３）。カラオケ装置２では、ユーザ情報を受信し、ユーザ情報を利用した各種サービス処理を実行する（Ｓ１０４）。ユーザがカラオケ装置２の利用を終え、ログアウトした場合（Ｓ１０５：Ｙｅｓ）には、カラオケ装置２は、サーバ装置５にサービス処理で更新されたユーザ情報を送信する（Ｓ１０６）。更新されたユーザ情報を受信（Ｓ１１４）したサーバ装置５は、受信したユーザ情報に基づいて、記憶部５１に記憶するユーザ情報を更新（Ｓ１１５）する。また、対応付けテーブルに記憶していたカラオケ装置ＩＤと、ユーザＩＤの対応関係を解除する（Ｓ１１６）。
【００４５】
このように本実施形態では、ユーザがカラオケシステムにログインすることで、サーバ装置５に対応付けテーブルを作成し、ユーザが使用対象としているカラオケ装置２を特定することが可能である。携帯端末６は、この対応付けテーブルを参照することで、現在、使用対象となっているカラオケ装置２を特定することが可能である。
【００４６】
次に、携帯端末６で実行されるカラオケ用プログラムの各種実行機能について説明する。図５には、カラオケ用プログラムの実行機能と使用する通信環境の対応を示す通信管理テーブルを示したものである。通信管理テーブルに示されるように、本実施形態のカラオケ用プログラムでは、楽曲予約機能、フォト送信機能、動画送信機能、楽器演奏機能の４つの実行機能を選択することが可能となっている。
【００４７】
図６には、カラオケ用プログラムのメニュー画面が示されている。ユーザは、このメニュー画面に表示された実行機能選択ボタン６０４ａ〜６０４ｄを操作することで各種実行機能を選択することが可能である。また、図６に示すタッチパネル表示部６８の上方には、第１無線通信環境について電波強度を示す携帯通信網アクセス状況６０２と、第２無線通信環境について電波強度を示すＷｉ−ｆｉ通信網アクセス状況６０３、カラオケ装置２との対応付けがされているか否かを示す対応付け状況が表示されている。この対応付け状況が「ＯＮ」表示の場合、携帯端末６とカラオケ装置２が対応付けされていることを示している。図４で説明した対応付け処理の場合、ユーザが携帯端末６を使用してサーバ装置５にログインした場合、携帯端末は、対応付けテーブル中に自己のユーザＩＤとカラオケ装置ＩＤが対応付けられていることを条件として対応付け状況を「ＯＮ」表示する。
【００４８】
実行機能選択ボタン６０４ａ〜６０４ｄを選択することで、ユーザは各種実行機能を使用することが可能である。図７〜図９には、各種実行機能についてタッチパネル表示部６８の画面例を示したものである。図７には、携帯端末６のタッチパネル表示部６８に表示される楽曲確認画面が示されている。この楽曲確認画面は、図６のメニュー画面中、「楽曲予約」と表記された実行機能選択ボタン６０４ａを選択し、１つの楽曲を選択することで表示される画面である。対応付け処理の完了後、携帯端末６は、リモコン装置１と同様、対応付けられたカラオケ装置２のリモコンとして機能することが可能となる。楽曲確認画面は、ユーザにより指定された楽曲名、歌手名等に基づいて指定された楽曲の詳細を示す画面であり、ユーザは楽曲確認画面にて楽曲を予約することが可能である。楽曲確認画面には、歌手名、曲名、歌い出し、楽曲に関するサムネイル画像といった楽曲関連情報６０５の他、キー設定、曲タイプ設定、投稿機能設定等、楽曲設定情報６０６が表示される。ユーザは、予約ボタン６０７を操作することで、表示されている楽曲を対応付けられたカラオケ装置２に予約することが可能となる。
【００４９】
図８は、図６のメニュー画面中、「フォト送信」と表記された実行機能選択ボタン６０４ｂを選択したときに表示されるフォト選択画面である。ユーザは、携帯端末６に記憶する静止画情報中、カラオケ装置２のモニタ４１に映し出したい静止画情報を、サムネイル画像６０８で選択することが可能である。選択されたサムネイル画像６０８のチェックボックス６０８ａはチェック状態となる。静止画情報を選択後、送信ボタン６１０を操作することで、選択された静止画情報は、使用対象であるカラオケ装置２に転送される。なお、フォト選択画面には、選択した静止画情報のデータ量（枚数、データ容量）が表示されており、ユーザは、送信するデータ量をフォト選択画面上において確認することが可能である。なお、図６のメニュー画面中、「動画送信」と表記された実行機能選択ボタン６０４ｂを選択することで実行される動画送信機能の画面構成については、図８のフォト送信機能の選択画面と略同様であるため、本明細書での図示を省略している。動画送信機能は、携帯端末６に記憶する動画情報中、カラオケ装置２のモニタで再生した動画情報を選択する選択画面を有し、この選択画面上で、動画情報のサムネイル画像を選択することで、カラオケ装置２に送信する動画情報が決定される。
【００５０】
図９は、図６のメニュー画面中、「楽器演奏」と表記された実行機能選択ボタン６０４ｄを選択したときに表示されるフォト選択画面である。本実施形態の楽器演奏機能は、鍵盤楽器による演奏を行うことを可能としている。ユーザは、タッチパネル表示部６８に表示された鍵盤ボタン６１１を操作することで、演奏に参加することが可能である。鍵盤ボタン６１１の左上には閉じるボタン６１２が表示されており、演奏操作を終えたユーザは、この閉じるボタン６１２を操作することで楽器演奏機能を終了させることが可能である。鍵盤ボタン６１１の操作は、送信情報としてカラオケ装置２に送信され、音響制御部２５から音響情報をスピーカ４２に出力させる。このように楽器演奏機能では、ユーザは自己の所持する携帯端末６を使用して演奏に参加することが可能である。なお、参加する楽器形態としては、本実施形態のように鍵盤楽器のみならず、弦楽器、管楽器、タンバリン等のような鳴り物楽器など他の楽器形態とする、あるいは、掛け声や手拍子等を出力する形態ことが可能である。
【００５１】
以上、カラオケ用プログラムで使用可能な各種実行機能を選択した場合、本実施形態では、選択された実行機能に応じて通信環境を切り替えることとしている。図５には、実行機能と通信環境の対応を示す通信管理テーブルが示されている。携帯通信網を使用する第１通信環境では、一旦、サーバ装置５にアクセスする必要があるため、通信に遅延が生じる可能性が大きい、また、大容量データの送信には不向きであることが考えられる。したがって、本実施形態の実行機能中、比較的データ容量が小さく、遅延による障害の少ないことが予想される実行機能（楽曲予約機能、フォト送信機能）において、第１通信環境を使用することとしている。一方、Ｗｉ−ｆｉ通信網を使用する第２通信環境は、カラオケ店舗内のＬＡＮ１００を使用する通信環境であるため、大容量データの送信も支障なく行うことができ、送信情報の遅延も少ないことが予想される。したがって、本実施形態の実行機能中、大容量データの送信が必要となる動画送信機能、遅延の発生が障害となる楽器演奏機能において、第２通信環境を使用することとしている。
【００５２】
通常、Ｗｉ−ｆｉ通信網を使用する第２通信環境は、第１通信環境と比較して、データ送信量、及び、遅延の少なさの点において優れた特性を有しているが、複数の携帯端末６が同時にアクセスポイント１１０にアクセスした場合、第２通信環境の特性は、第１通信環境の特性よりも劣化することが考えられる。本実施形態では、小容量のデータ通信、並びに、遅延が許容される実行機能について、第１通信環境を使用することで、アクセスポイント１１０に対する過度の通信接続を抑制し、第２通信環境の通信品質を維持することが可能となっている。
【００５３】
では、携帯端末６において実行されるカラオケ用プログラムの通信管理処理について説明する。図１０は、携帯端末６で実行される通信管理処理を示すフロー図である。カラオケ用プログラムが起動すると、この通信管理処理が開始する。図６のメニュー画面中、ユーザにより実行機能選択ボタン６０４ａ〜６０４ｄが選択操作された場合（Ｓ１０１）、携帯端末６は、通信管理テーブルを参照し（Ｓ１０２）、選択した実行機能が携帯通信網（第１通信環境）を利用するのか、Ｗｉ−ｆｉ通信網（第２通信環境）を利用するのかを判定する。選択した実行機能が携帯通信網利用である場合（Ｓ１０３：Ｙｅｓ）には、第１処理（Ｓ２００）を実行する。また、選択したＷｉ−ｆｉ通信網利用である場合（Ｓ１０３：Ｎｏ）には、第２処理（Ｓ３００）を実行する。カラオケ用プログラムの終了が判断された場合（Ｓ１０４：Ｙｅｓ）には、この通信管理処理を終了する。
【００５４】
図１１は、携帯端末６で実行される第１通信処理（Ｓ２００）を示すフロー図である。この第１処理は、携帯通信網（第１通信環境）を利用した場合の処理であり、携帯端末６から、使用対象となるカラオケ装置２に各種送信情報を送信する。図５の通信管理テーブル中、楽曲予約機能、フォト送信機能がこれに相当している。図１３には、楽曲予約機能において、送信情報の送信経路を説明するための図が示されている。楽曲予約機能では、図７の楽曲確認画面中、予約ボタン６０７が操作された場合（Ｓ２０１：Ｙｅｓ）、選択した楽曲の楽曲ＩＤ（コマンド）とユーザＩＤを含む送信情報が、対象となるカラオケ装置２に送信される（Ｓ２０３）。楽曲予約機能では、携帯通信網（第１通信環境）を利用するため、送信情報は、サーバ装置５（サーバＩＤ）を宛先として送信される。送信情報は、携帯基地局１４０、ゲートウェイ１３０を介して、インターネット網上に接続されたサーバ装置５に送信される。サーバ装置５は、受信した送信情報に付されたユーザＩＤを、対応付けテーブルと付き合わせることで、使用対象となるカラオケ装置２のカラオケ装置ＩＤを取得する。そして、使用対象となるカラオケ装置２を宛先として、ユーザＩＤと選曲した楽曲の楽曲ＩＤ（コマンド）を送信する。カラオケ装置２では、サーバ装置５によって転送された送信情報に基づいて、楽曲を演奏予約する。
【００５５】
このように、楽曲予約機能を選択した場合、楽曲予約機能の使用に伴って携帯端末６から送信される送信情報を、携帯通信網（第１通信環境）を利用して、使用対象となるカラオケ装置２に送信することとしている。ところで、基本、携帯通信網（第１通信環境）を利用するフォト送信機能では、ユーザの選択状況によっては、送信する静止画情報のデータ量が大きくなることが考えられる。このような場合、第１通信処理では、携帯通信網（第１通信環境）に代え、Ｗｉ−ｆｉ通信網（第２通信環境）を利用して、送信情報を送信することとしている。図１１のフロー図中、送信情報のデータ量が所定値以上（本実施形態では、送信する静止画情報の枚数が５枚以上）であると判定された場合（Ｓ２０２：Ｙｅｓ）、携帯端末６は、Ｗｉ−ｆｉ通信網に接続されているか否かを確認する（Ｓ２０４）。Ｗｉ−ｆｉ通信網に接続されている場合（Ｓ２０４：Ｙｅｓ）には、Ｗｉ−ｆｉ通信網を利用して送信情報を送信する（Ｓ２０７）。一方、Ｗｉ−ｆｉ通信網に接続されていない場合（Ｓ２０４：Ｙｅｓ）には、Ｗｉ−ｆｉ接続設定を実行する（Ｓ２０５）。このＷｉ−ｆｉ接続設定は、使用可能なＳＳＩＤを自動検索して実行する形態、あるいは、ユーザにＳＳＩＤを選択させる形態のどちらでもよい。また、Ｗｉ−ｆｉ接続にパスワードが必要な場合、パスワードをユーザに入力させる、あるいは、パスワードの記載されたプロファイルをダウンロードさせることが考えられる。
【００５６】
Ｗｉ−ｆｉ接続設定の結果、Ｗｉ−ｆｉ接続できた場合（Ｓ２０６：Ｙｅｓ）には、Ｗｉ−ｆｉ通信網を利用して送信情報を送信する（Ｓ２０７）。このように、送信情報のデータ量が大きい場合には、携帯通信網（第１通信環境）に代え、Ｗｉ−ｆｉ通信網（第２通信環境）を使用することで、良好な転送速度で送信し、送信にかかる時間を短縮することが可能である。なお、本実施形態では、データ量の判定基準として、静止画情報の送信枚数を使用することとしているが、データ量の判定基準としては、送信対象となる静止画情報全体のデータ容量（例えば、５ＭＢ以上）を使用することとしてもよい。一方、Ｗｉ−ｆｉ接続できなかった場合（Ｓ２０６：Ｎｏ）には、携帯通信網を利用して送信情報を送信する（Ｓ２０７）。この第１通信処理は、ユーザにより、他の実行機能に変更される、あるいは、カラオケ用プログラムの終了が指定されたこと（Ｓ２０８：Ｙｅｓ）を条件として終了する。
【００５７】
図１２は、携帯端末６で実行される第２通信処理（Ｓ３００）を示すフロー図である。この第２処理は、Ｗｉ−ｆｉ通信網（第２通信環境）を利用した場合の処理であり、携帯端末６から、使用対象となるカラオケ装置２に各種送信情報を送信する。図６の通信管理テーブル中、動画送信機能、楽器演奏機能がこれに相当している。図１４には、動画送信機能において、送信情報の送信経路を説明するための図が示されている。動画送信機能では、携帯端末６において、送信対象となる動画情報が送信決定された場合、選択した動画情報とユーザＩＤを含む送信情報が、対象となるカラオケ装置２に送信される。
【００５８】
動画送信機能では、Ｗｉ−ｆｉ通信網（第２通信環境）を利用するため、送信情報は、使用対象となるカラオケ装置２のカラオケ装置ＩＤを宛先として送信される。なお、携帯端末６は、サーバ装置５にて管理する対応付けテーブルを参照することで、使用対象となるカラオケ装置２のカラオケ装置ＩＤ、すなわち、対応付けテーブル上、ユーザＩＤに対応付けられているカラオケ装置ＩＤを取得することが可能である。携帯端末６から送信された送信情報は、アクセスポイント１１０を介して、ＬＡＮ１００に接続された、使用対象となるカラオケ装置２に送信される（Ｓ３０１）。
【００５９】
なお、第２通信処理では、Ｗｉ−ｆｉ通信網を使用した送信情報の送信に先駆け、Ｗｉ−ｆｉ通信に接続されているか否かを確認することが好ましい。送信情報が決定された後（Ｓ３０１）、携帯端末６は、Ｗｉ−ｆｉ接続されているか否かを確認する（Ｓ３０２）。Ｗｉ−ｆｉ通信網に接続されていない場合（Ｓ３０２：Ｙｅｓ）には、Ｗｉ−ｆｉ接続設定を実行する（Ｓ３０３）。このＷｉ−ｆｉ接続設定は、第１処理で説明したＷｉ−ｆｉ接続設定（Ｓ２０５）と同様の処理である。Ｗｉ−ｆｉ接続設定の結果、Ｗｉ−ｆｉ接続できなかった場合（Ｓ３０４：Ｎｏ）には、携帯通信網を利用して送信情報を送信する（Ｓ３０８）。
【００６０】
さらに本実施形態の第２通信処理では、アクセスポイント１１０に通信アクセスが集中するなど、Ｗｉ−ｆｉ通信網が混雑している場合、送信情報の容量を削減することとしている。動画送信機能においては、動画情報の情報量を変更することで、Ｗｉ−ｆｉ通信網の混雑状況を緩和することが可能となる。携帯端末６は、アクセスポイント１１０から現在の通信状況を示す情報を取得し、Ｗｉ−ｆｉ通信網が混雑しているか否かを判定する（Ｓ３０５）。Ｗｉ−ｆｉ通信網が混雑していると判定した場合（Ｓ３０５：Ｙｅｓ）には、送信情報中、動画情報等、変更可能な情報の情報量を変更（Ｓ３０６）し、Ｗｉ−ｆｉ通信網を利用して送信する。なお、Ｗｉ−ｆｉ通信網が混雑していると判定した場合（Ｓ３０５：Ｙｅｓ）に、送信情報の情報量を変更した上で、携帯通信網を使用して送信しても良いし、送信情報の情報量を変更せずに、携帯通信網を使用して送信しても良い。
※以下、追記願います。
【００６１】
＜混雑状況監視の具体的方法について＞
Ｗｉ−ｆｉ通信網の混雑状況は、第１の携帯端末６や第２の携帯端末６からアクセスポイント１１０にアクセスがあると形成される接続情報から判定することができる。本接続情報は、該アクセスポイント１１０に何台の携帯端末がアクセスしているかを示す情報であり、該接続情報が所定の値に達したかどうかで、混雑しているかどうかを判定する。この場合、アクセスポイント１１０が所定時間毎に接続情報を携帯端末６に送信し、該携帯端末６で、受信した接続情報をもとに、混雑しているかどうかを判定することとなる。また、携帯端末６から所定時間毎にアクセスポイント１１０に接続情報の取得要求を行っても良い。
【００６２】
また、別のＷｉ−ｆｉ通信網の混雑状況の判定方法としては、携帯端末６が、Ｗｉ−ｆｉ通信網でアクセスポイント１１０に送信情報を送信する際の送信待ち時間を混雑状況として判定しても良い。この場合、送信待ち時間が所定の値に達したかどうかで、混雑をしているかどうか判定することとなる。送信待ち時間が所定の値に達したと判定すると、次回の操作で、動画情報を送信する場合、Ｗｉ−ｆｉ通信網ではなく、携帯通信網を使用する、もしくは、動画情報の情報量を変更する、という処理を行うこととなる。以上、混雑状況の判定方法を述べたが、これに限られるものではない。
【００６３】
＜情報量変更の具体的方法について＞
Ｗｉ−ｆｉ通信網が混雑している場合、送信情報の情報量を変更するが、情報量の変更の具体的な方法を述べる。本実施形態では、送信情報の情報量を削減することで、Ｗｉ−ｆｉ通信網に対する通信負荷の削減を図ることとしている。以下に送信情報が動画情報の場合について、情報量の変更（削減）例を説明する。動画情報の画質は画素数によって決まるが、一般的に画素数が多くなればなるほど、高画質になる。ただし、高画質になるほど、データ容量も大きくなるため、Ｗｉ−ｆｉ通信網が混雑している場合は、携帯端末６で、動画情報の画質を落とす、すなわち、画素数を減らす処理を行うことでデータ容量を変更する。
【００６４】
また、動画情報の別の情報量の変更方法として、動画情報のフレームレートを下げることも考えられる。フレームレートは、動画情報が１秒間に何枚の静止画（フレーム）で構成されているかを示す値である。一般的に、フレームレートの数値が大きくなると、より滑らかな映像になるが、送信するフレーム数が増えるため、通信負荷も大きくなる。そこで、フレームレートを下げることで、データ容量を変更する。
【００６５】
また、動画情報の別の情報量変更の方法としては、動画情報の時間長を短縮することが考えられる。時間長短縮は、動画情報中の一部区間を削除することで行われ、動画情報が所定時間に収まるように、動画情報の後部分を削除することが考えられる。削除部分は、後部分以外に、前部分を削除する等、適宜形態を採用することが考えられる。なお、動画情報の情報量を変更する場合には、変更されることをユーザに通知することとしてもよい。さらに、動画情報の一部区間を削除する場合には、ユーザに削除区間を選択させることとしてもよい。
【００６６】
以上、送信情報として動画情報を採用した場合、その情報量の変更について説明したが、送信情報が静止画情報の場合には、静止画情報の画素数を削減する、あるいは、静止画情報の送信枚数を削減することで、情報量を変更（削減）し、Ｗｉ−ｆｉ通信網に対する通信負荷の削減を図ることが可能である。静止画情報の情報量を変更する場合、動画情報の場合と同様、情報量が変更されることを通知することが好ましい。さらに、静止画情報の枚数を削減する場合には、送信を中止する静止画情報をユーザに選択させることとしてもよい。
【００６７】
＜返信情報について＞
ここで、携帯端末６から動画情報等の送信情報を送信すると、カラオケ装置２から、送信情報に対する返信情報が、携帯端末６に送信される場合がある。この返信情報は、例えば、エラー１、エラー２というような信号であり、データ容量は小さい。携帯端末６記憶部には、予めエラー１、エラー２に対応するエラー文言情報が用意されており、カラオケ装置２から前記信号を受信すると、信号に対応するエラー文言情報を表示する。該エラー文言情報は、例えば、エラー１ならば、「歌唱動画撮影中のため、動画情報の表示はできません」、エラー２ならば、「曲待ち中のため、動画情報の表示はできません」というような内容である。
【００６８】
通常、送信情報の送信に使用する通信網と、該送信情報に対応する返信情報の送信に使用する通信網は同一に設定されているが、本実施例では、Ｗｉ−ｆｉ通信網（第２通信環境）でデータ容量の大きい動画情報を送信した場合でも、返信情報は、データ容量が小さいため、携帯通信網（第１通信環境）で送信することとしている。これにより、Ｗｉ−ｆｉ通信網の無駄な利用を防ぐことが可能になる。なお、カラオケ装置から送信するのはエラー１といった信号でなく、「歌唱動画撮影中のため、動画情報の表示はできません」という文言情報そのものでも良い。
【００６９】
このように第２通信処理では、比較的データ量の大きい動画情報を含む送信情報を、Ｗｉ−ｆｉ通信網（第２通信環境）を使用して送信することとしている。また、楽器演奏機能においては、Ｗｉ−ｆｉ通信網（第２通信環境）を使用することで、遅延の少ない（操作に対する演奏音出力のレスポンスが早い）楽器演奏を楽しむことが可能となる。
【００７０】
以上、本実施形態のカラオケシステム、並びに、プログラムでは、選択された実行機能に対応して、第１無線通信環境、もしくは、第２無線通信環境を選択することで、実行機能に適した無線通信環境を使用して送信情報を送信することが可能となる。また、第２無線通信環境で使用されるアクセスポイントへの過度のアクセス集中を抑制することも可能となる。
【符号の説明】
【００７１】
１…リモコン装置                   ６５Ｆ…フロントカメラ
１１…タッチパネルモニタ           ６５Ｒ…リアカメラ
１１ａ…表示部                     ６６…音響処理部
１１ｂ…タッチパネル               ６７ａ…スピーカ
１２…ビデオＲＡＭ                 ６７ｂ…マイクロホン
１３…映像制御部                   ６８…タッチパネル表示部
１４…メモリ                       ６８ａ…タッチパネル
１５…ＣＰＵ                       ６８ｂ…表示部
１６…無線ＬＡＮ通信部             ６９ａ…第１通信部
１７…操作部                       ６９ｂ…第２通信部
１８…操作処理部                   ７０…入力スイッチ
１９…赤外線通信部                 ７１…外部入力端子
２…カラオケ装置（コマンダ）       ４１…モニタ
２１…操作部                       ７２…外部メモリ接続端子
２２…操作処理部                   １００…ＬＡＮ
２３…赤外線通信部                 １１０…アクセスポイント
２４…ＬＡＮ通信部                 １２０…ルータ
２５…音響制御部                   １３０…ゲートウェイ
２７…メモリ                       １４０…携帯基地局
２８…ビデオＲＡＭ                 ６０１…対応付け状況
２９…映像再生部                   ６０２…携帯通信網アクセス状況
３０…制御部                       ６０３…Ｗｉ−ｆｉ通信網アクセス状況
３１…映像制御部                   ６０４ａ〜ｄ…実行機能選択ボタン
３２…ＨＤＤ（ハードディスク）     ６０５…楽曲関連情報
４２…スピーカ                     ６０６…選曲設定情報
４４ａ、４４ｂ…歌唱用マイク       ６０７…予約ボタン
５…サーバ装置                     ６０８…サムネイル画像
５１…記憶装置                     ６０８ａ…チェックボックス
６…携帯端末（情報処理装置）       ６０９…選択値
６１…制御部                       ６１０…送信ボタン
６２…ＲＡＭ                       ６１１…鍵盤ボタン
６３…記憶部                       ６１２…閉じるボタン
６４…画像制御部
【図１】
2016033550.tif 000003
【図２】
2016033550.tif 000004
【図３】
2016033550.tif 000005
【図４】
2016033550.tif 000006
【図５】
2016033550.tif 000007
【図６】
2016033550.tif 000008
【図７】
2016033550.tif 000009
【図８】
2016033550.tif 000010
【図９】
2016033550.tif 000011
【図１０】
2016033550.tif 000012
【図１１】
2016033550.tif 000013
【図１２】
2016033550.tif 000014
【図１３】
2016033550.tif 000015
【図１４】
2016033550.tif 000016